(57)【特許請求の範囲】
【請求項１】
無線ユーザ機器（ＵＥ）（１２、１２０）における方法であって、
無線通信ネットワーク（１０、１００）から比吸収率（ＳＡＲ）ターゲットに関連する１つ以上のパラメータを受信するステップ（Ｓ１）と、
前記１つ以上のＳＡＲ関連パラメータに基づいて、前記ＳＡＲターゲットを満たすために前記ＵＥによって取られるべきアクションを判定するステップ（Ｓ２）と、
前記アクションを実行するステップ（Ｓ３）と、
ＳＡＲは、前記ＵＥによって生成される無線送信の結果として生成される無線周波数（ＲＦ）電磁場（ＥＭＦ）放射に暴露される単位質量の組織によって吸収される最大エネルギー又は最大電力の指標であることと、
満たすべき前記ＳＡＲターゲットは、前記ＵＥに関連付けられるロケーションに基づいて取得されるオプションから前記ＵＥの加入者により選択されることと、
によって特徴付けられる、方法。
【請求項２】
前記ＳＡＲターゲットは、第１のシナリオに関連付けられる第１のＳＡＲターゲット、又は第２の異なるシナリオに関連付けられる第２のＳＡＲターゲットであり得る、請求項１に記載の方法。
【請求項３】
前記第１のシナリオは、第１のＳＡＲ要件を有する第１の地域であり、前記第２のシナリオは、第２のＳＡＲ要件を有する第２の地域である、請求項２に記載の方法。
【請求項４】
前記第１のＳＡＲ要件と前記第２のＳＡＲ要件とは同じである、請求項３に記載の方法。
【請求項５】
前記第１のＳＡＲ要件と前記第２のＳＡＲ要件とは異なる、請求項３に記載の方法。
【請求項６】
前記１つ以上のＳＡＲ関連パラメータは、前記ＵＥが前記ＵＥの最大送信電力をどれだけ低減するかを判定することを示し又は可能にする前記ＵＥについての送信電力バックオフ情報を含み、
前記第１のＳＡＲターゲットは、第１の送信バックオフ量に関連付けられ、前記第２のＳＡＲターゲットは、第２の送信バックオフ量に関連付けられる、
請求項２に記載の方法。
【請求項７】
前記第１のＳＡＲターゲットは、前記第２のＳＡＲターゲットから同じ地域内で時間の経過と共に変更された変更バージョンであり、
前記第１の送信バックオフ量は、前記第２のＳＡＲターゲットの前記変更に適応するための必要とされる送信バックオフ以上である、
請求項６に記載の方法。
【請求項８】
前記１つ以上のＳＡＲ関連パラメータは、前記ＵＥが満たすことが必要とされるＳＡＲ値の前記オプションを含む、請求項１〜７のいずれか１項に記載の方法。
【請求項９】
前記ＳＡＲターゲットを満たすために前記ＵＥが低減すべき前記ＵＥの最大出力電力の量を前記１つ以上のＳＡＲ関連パラメータの値に基づいて判定することと、
前記ＵＥの最大出力電力を判定された前記量だけ低減することと、
をさらに含む、請求項１〜７のいずれか１項に記載の方法。
【請求項１０】
前記１つ以上のＳＡＲ関連パラメータは、前記ＵＥが前記ＳＡＲターゲットを満たすべき期間に関連するタイミング情報を含む、請求項１〜７のいずれか１項に記載の方法。
【請求項１１】
前記１つ以上のＳＡＲ関連パラメータの値は、既存のスプリアス発射要件のシグナリングパラメータなどの利用可能な既存のシグナリングパラメータを用いて受信される、請求項１〜７のいずれか１項に記載の方法。
【請求項１２】
前記ＵＥがソースセルからターゲットセルへのハンドオーバ動作を実行しようとしていることを検出することと、
前記ターゲットセルに関連付けられるターゲットセルＳＡＲターゲットに合わせて調整された値を有するターゲットセルの１つ以上のＳＡＲ関連パラメータを、ハンドオーバメッセージにおいて受信することと、
前記ターゲットセルＳＡＲターゲットを満たすために、前記ＵＥによって取られるべき別のアクションをターゲットセルの前記１つ以上のＳＡＲ関連パラメータに基づいて判定することと、
前記別のアクションを実行することと、
をさらに含む、請求項１〜７のいずれか１項に記載の方法。
【請求項１３】
無線ユーザ機器（ＵＥ）（１２、１２０）と通信する第１のネットワークノード（１０、１００）における方法であって、
比吸収率（ＳＡＲ）ターゲットに関連する１つ以上のパラメータを判定するステップ（Ｓ１０）と、
前記ＳＡＲターゲットを満たすために前記ＵＥにおける送信器によって適用されるべき判定された前記１つ以上のＳＡＲ関連パラメータを含む、前記ＵＥへの送信のためのメッセージについての内容を生成するステップ（Ｓ１２）と、
ＳＡＲは、前記ＵＥによって生成される無線送信の結果として生成される無線周波数（ＲＦ）電磁場（ＥＭＦ）放射に暴露される単位質量の組織によって吸収される最大エネルギー又は最大電力の指標であることと、
満たすべき前記ＳＡＲターゲットは、前記ＵＥに関連付けられるロケーションに基づいて取得されるオプションから前記ＵＥの加入者により選択されることと、
によって特徴付けられる、方法。
【請求項１４】
前記内容を前記ＵＥにシグナリングすること、
をさらに含む、請求項１３に記載の方法。
【請求項１５】
前記内容を第２のネットワークノードにシグナリングすること、
をさらに含む、請求項１３に記載の方法。
【請求項１６】
前記第１のネットワークノードは、前記ＵＥがターゲットハンドオーバセルにハンドオーバされる際に前記ＵＥにおける送信器によって適用されるべき前記ターゲットハンドオーバセルに関連付けられるターゲットセルの１つ以上のＳＡＲ関連パラメータを含む、前記ＵＥへの送信のためのメッセージについての内容を生成する、請求項１５に記載の方法。
【請求項１７】
前記第１のネットワークノードは、ターゲットセルの前記１つ以上のＳＡＲ関連パラメータを第３のネットワークノードから受信する、請求項１６に記載の方法。
【請求項１８】
無線インタフェース上でネットワークと通信するように構成される無線ユーザ機器（ＵＥ）（１２、１２０）であって、当該ＵＥは、
無線回路（１２４）と、
前記無線回路と結合される処理回路（１２２）と
を備え、
前記処理回路は、
比吸収率（ＳＡＲ）関連入力を判定し、
前記ＳＡＲ関連入力に基づくＳＡＲターゲットに適合する送信電力を判定し、及び
判定された前記送信電力に基づいて、前記ＳＡＲターゲットに適合するように前記無線回路の動作を制御する、
ように構成されることと、
ＳＡＲは、前記ＵＥによって生成される無線送信の結果として生成される無線周波数（ＲＦ）電磁場（ＥＭＦ）放射に暴露される単位質量の組織によって吸収される最大エネルギー又は最大電力の指標であることと、
満たすべき前記ＳＡＲターゲットは、前記ＵＥに関連付けられるロケーションに基づいて前記処理回路により取得されるオプションから前記ＵＥの加入者により選択されることと、
によって特徴付けられる、ＵＥ。
【請求項１９】
前記無線回路は、前記ネットワークから前記ＳＡＲ関連入力を受信するように構成される、請求項１８に記載のＵＥ。
【請求項２０】
前記処理回路は、前記ＵＥの前記加入者に、前記ＵＥに関連付けられる前記ロケーションに基づく前記オプションを表示し、前記加入者からの前記ＳＡＲ関連入力を検出し、及び前記ＳＡＲ関連入力を用いて前記ＳＡＲターゲットを判定するように構成される、請求項１８に記載のＵＥ。
【請求項２１】
前記処理回路は、前記ＵＥに関連付けられる前記ロケーションを検出し及び検出された前記ロケーションに基づいて前記オプションを示す所定のＳＡＲ関連入力を検出するように構成される、請求項１８に記載のＵＥ。
【請求項２２】
前記１つ以上のＳＡＲ関連入力は、前記ＵＥがターゲットハンドオーバセルにハンドオーバされる際に前記無線回路によって適用されるべき前記ターゲットハンドオーバセルに関連付けられる１つ以上のＳＡＲ関連パラメータを含む、請求項１８〜２１のいずれか１項に記載のＵＥ。
【請求項２３】
無線ユーザ機器（ＵＥ）（１２、１２０）と通信するように構成される第１のネットワークノード（１０、１００）であって、処理回路（１０２、１０８）と、インタフェース回路（１０６）と、を備え、
前記処理回路は、
比吸収率（ＳＡＲ）ターゲットに関連する１つ以上のパラメータを判定し、及び
前記ＳＡＲターゲットを満たすために前記ＵＥにおける送信器によって適用されるべき判定された前記１つ以上のＳＡＲ関連パラメータを含む、前記ＵＥへの送信のためのメッセージについての内容を生成する、
ように構成されることと、
前記インタフェース回路は、
送信のために前記メッセージを提供する、
ように構成されることと、
ＳＡＲは、前記ＵＥによって生成される無線送信の結果として生成される無線周波数（ＲＦ）電磁場（ＥＭＦ）放射に暴露される単位質量の組織によって吸収される最大エネルギー又は最大電力の指標であることと、
満たすべき前記ＳＡＲターゲットは、前記ＵＥに関連付けられるロケーションに基づいて取得されるオプションから前記ＵＥの加入者により選択されることと、
によって特徴付けられる、第１のネットワークノード。
【請求項２４】
前記インタフェース回路は、前記内容を前記ＵＥにシグナリングするように構成される無線回路（１０４）を含む、請求項２３に記載の第１のネットワークノード。
【請求項２５】
前記第１のネットワークノードは、基地局、基地局コントローラ、コアネットワークノード、又は中継ノードのうちの１つである、請求項２３に記載の第１のネットワークノード。
【請求項２６】
前記第１のネットワークノードは、前記ＵＥがターゲットセルにハンドオーバされる際に前記ＵＥにおける送信器によって適用されるべき、第２のネットワークノードによって制御される前記ターゲットセルに関連付けられるターゲットセルの１つ以上のＳＡＲ関連パラメータを含む、前記ＵＥへの送信のためのメッセージについての内容を生成するように構成される、請求項２３に記載の第１のネットワークノード。
【請求項２７】
前記インタフェース回路は、前記ターゲットセルを制御する第２のネットワークノード（ＢＳ２）にターゲットセルの前記１つ以上のＳＡＲ関連パラメータをシグナリングするように構成される、請求項２６に記載の第１のネットワークノード。
【請求項２８】
前記第２のネットワークノード（ＢＳ２、ネットワークノードＡ１００）は、基地局、無線ネットワークコントローラ、基地局コントローラ、コアネットワークノード、中継ノード、測位ノード、自己管理ネットワーク（ＳＯＮ）ノード、又はオペレーション及びメンテナンスノードのうちの１つである、請求項２７に記載の第１のネットワークノード。
【請求項２９】
前記第１のネットワークノードは、第３のネットワークノード（ＢＳ２、ネットワークノードＢ１００）から、ターゲットセルの前記１つ以上のＳＡＲ関連パラメータを受信するように構成される、請求項２７に記載の第１のネットワークノード。
【請求項３０】
前記第３のネットワークノードは、基地局、無線ネットワークコントローラ、基地局コントローラ、コアネットワークノード、中継ノード、測位ノード、自己管理ネットワーク（ＳＯＮ）ノード、又はオペレーション及びメンテナンスノードのうちの１つである、請求項２９に記載の第１のネットワークノード。
【発明の詳細な説明】
【技術分野】
【０００１】
本技術は、無線通信に関し、特に、比吸収率（ＳＡＲ：specific  absorption  rate）要件に関連する無線送信制御に関する。
【背景技術】
【０００２】
図１は、セル１４と呼ばれる、サービングノードのサービスの地理的領域内に位置するユーザ機器（ＵＥ）１２にサービスするサービングノード（システムに依存して、当該サービングノードは、基地局、ノードＢ、進化型ノードＢ（ｅＮｏｄｅＢ又はｅＮＢ）等と呼ばれ得る）１０を有するセルラ通信システムを示す。通信は、ｅＮＢ１０とＵＥ１２との間の双方向である。ｅＮＢ１０からＵＥ１２への通信は、ダウンリンク方向において発生すると称される一方、ＵＥ１２からｅＮＢ１０への通信は、アップリンク方向において発生すると称される。
【０００３】
Ｅ−ＵＴＲＡＮにおいて、直交周波数分割多重アクセス（ＯＦＤＭＡ：Orthogonal  Frequency  Division  Multiple  Access）技術はダウンリンクにおいて用いられ、単一キャリア周波数分割多重アクセス（ＳＣ−ＦＤＭＡ：single  carrier  frequency  division  multiple  access）はアップリンクにおいて用いられる。アップリンク及びダウンリンクにおいて、データ送信は、幾つかのサブストリームに分割され、各サブストリームは、別個のサブキャリア上に変調される。それ故に、ＯＦＤＭＡベースのシステムにおいて、利用可能な帯域幅は、幾つかのリソースブロック（ＲＢ）に再分割される（sub-divided）。リソースブロックは、時間及び周波数の双方において定義される。現在の前提によれば、リソースブロックのサイズは、周波数ドメイン及び時間ドメインにおいて、それぞれ１８０ＫＨｚ及び０．５ｍｓである。全体的なアップリンク及びダウンリンク送信帯域幅は、２０ＭＨｚの大きさにもなり得る。ＬＴＥにおけるキャリアアグリゲーションは、１つよりも多いコンポーネントキャリア上でデータを同時に受信し及び送信することによって、ＵＥがデータレートを実質的に向上させることを可能にする。
【０００４】
ＵＥは、関連のある国家の及び国際的な、無線周波数（ＲＦ：radiofrequency）電磁場（ＥＭＦ：electromagnetic  fields）への人体暴露に関する標準及び規制に従わなければならない。これらの標準において規定される暴露限度は、国際非電離放射線防護委員会（International  Commission  on  Non-Ionizing  Radiation  Protection）によって提供されるガイドライン（ＩＣＮＩＲＰ、１９９８）、又は電気電子学会（Institute  of  Electrical  and  Electronics  Engineers）によって策定されたＣ９５．１標準（ＩＥＥＥＣ９５．１、１９９９）から採択されてきた。これらの提案における限度は類似しており、当該限度は科学的データに基づいている。最も広く用いられる提案であるＩＣＮＩＲＰガイドラインは、世界保健機関（ＷＨＯ：World  Health  Organization）によって承認されてきた。
【０００５】
これらのガイドラインにおいて規定される科学的根拠に基づくＲＦ暴露限度は、相当な安全マージンを見込んで設定されてきた。当該限度は、ＲＦ場への短期間の暴露及び長期間の暴露から実証された健康へのあらゆる影響からの保護を提供し、子供及び人口の他のセグメントの安全が考慮されてきた。
【０００６】
比吸収率（ＳＡＲ）は、ＵＥによって送出されるＲＦ  ＥＭＦへのＲＦ暴露を測定するために用いられる量である。ＳＡＲは、所与の時間にわたり暴露される組織の単位質量によって吸収される最大エネルギーの指標、又はより単純に言えば単位質量あたりに吸収される電力である。人体の近くで用いられる携帯電話及び他のＵＥについて適用可能なＩＣＮＩＲＰのＳＡＲ限度は、１０グラムの組織にわたり平均２Ｗ／ｋｇである。この限度は、ＥＵ及び世界中の殆どの国家において用いられる。米国連邦通信委員会（US  Federal  Communications  Commission  (FCC)）は、１グラムの組織にわたり平均１．６Ｗ／ｋｇのＩＥＥＥ１９９９  ＳＡＲ限度を採択している。この限度も、他の少数の国家において用いられている。欧州及び幾つかの他の国家におけるＳＡＲ限度は２Ｗ／ｋｇであり、これは欧州の規制機関によって設定される。世界の他の地域において、ＳＡＲ要件は異なり得る。
【０００７】
ＳＡＲ要件は様々な国家において規制機関によって設定されるが、当該ＳＡＲ要件は、３ＧＰＰ仕様において存在しない。例えば、ＧＳＭ、ＨＳＰＡ、又はＬＴＥのＵＥについてＳＡＲ要件は規定されていない。標準化された／調和させたＳＡＲ要件の不在に起因して、異なるＵＥは、異なるＳＡＲレベルを示し得る。
【０００８】
ＵＥは、国家／地域／地方の個別の行政機関によって公表されるＳＡＲ限度に準拠すべきである。ＵＥのＳＡＲは、電話が耳の近くにあると仮定するモデルにより測定される。それ故に、ＵＥの最大出力電力は、ＳＡＲ限度によって制限される。３ＧＰＰ  ＨＳＰＡの仕様３ＧＰＰ  ＴＳ  ２５．１０１、”User  Equipment  (UE)  radio  transmission  and  reception  (FDD)”において、ＵＥの電力クラス３及び電力クラス４のみが、電力クラス３のＵＥについての最大出力電力は２４ｄＢｍ、電力クラス４のＵＥについての最大出力電力は２１ｄＢｍと規定される。３ＧＰＰ  ＬＴＥ仕様、３ＧＰＰ  ＴＳ  ３６．１０１、”Evolved  Universal  Terrestrial  Radio  Access  (E-UTRA)  and  Evolved  Universal  Terrestrial  Radio  Access  (E-UTRAN);  User  Equipment  (UE)  radio  transmission  and  reception”において、ＵＥ電力クラス３のみ、２３ｄＢｍの最大出力電力が規定されている。
【０００９】
エンドユーザがＵＥから受けるＳＡＲに影響を与える要因は複数ある。幾つかの要因は、以下に例として挙げられる。１つは、ＵＥと人体との間の距離である。無線送信の特性に従って、電話が耳の近く（例えば、１ｃｍ）から少し離れた（例えば、半波長又は１波長）所へ移動する場合、電磁波の強度は著しく（例えば、数十ｄＢ）減少する。約２ＧＨｚの周波数において動作する無線通信システムの場合、波長は約１５ｃｍである。例１：マシン対マシン通信において用いられるＵＥの場合、ＵＥは動作期間中にエンドユーザから充分に離れているため、エンドユーザによって経験されるＳＡＲは、ＳＡＲ限度よりもかなり低い。例２：ユーザがＵＥ（携帯電話又はドングル（dongle）であり得る）をインターネットにアクセスするためのラップトップ又はデスクトップのための無線アクセスアダプタとして用いる場合、ＵＥはラップトップのそばに位置しており、従って、エンドユーザから充分に離れている。この場合において、エンドユーザによって経験されるＳＡＲも、ＵＥに課される限度よりもかなり低い。
【００１０】
第２の例示的な要因は、ＵＥと基地局との間の距離である。ＵＥから接続される基地局までの距離が大きくなるほど、要求されるＱｏＳ（Quality  of  Service）を満たすために必要とされるＵＥ送信電力は大きくなり、これはエンドユーザによって経験されるＳＡＲを増加させる。第３の例示的な要因は、通信エリアの周辺環境及び無線環境である。ＵＥと基地局との間の障害物は、電磁波伝搬損失を増加させ得る。要求されるＱｏＳを満たすためには、より大きな送信電力が必要とされ、結果として、エンドユーザによって経験されるＳＡＲをより大きくする。
【００１１】
ＳＡＲに加えて、ＵＥはある帯域外（ＯＯＢ：out-of-band）放射要件のセットも満たさなければならない。当該要件のうちの一部は、規制機関、例えば、ＩＴＵ−Ｒ、ＦＣＣ、ＡＲＩＢ、ＥＴＳＩ等によって設定される。これらの帯域外放射要件は、レギュラトリ無線要件とも呼ばれる。ＯＯＢ要件の目的は、送信機（ＵＥ又は放送機器（ＢＥ：broadcasting  equipment））よってその動作帯域外で引き起こされる隣接するキャリアへの干渉を制限することである。ＳＡＲとは異なり、ＯＯＢ要件は、３ＧＰＰの仕様において充分に規定されている。ＵＴＲＡ  ＵＥの場合、ＯＯＢ要件はＴＳ  ２５．１０１において規定されている。ＯＯＢ要件は、典型的に：隣接チャネル漏洩比（ＡＣＬＲ：adjacent  channel  leakage  ratio）、スペクトラム放射マスク（ＳＥＭ：spectrum  emission  mask）、及びスプリアス発射を含み、これらの具体的な定義は、システムによって異なり得る。さらに、ＯＯＢ放射要件は、ＷＣＤＭＡにおいては時間スロット単位で、Ｅ−ＵＴＲＡにおいてはサブフレーム単位で満たされなければならない。
【００１２】
ＵＥの電力増幅器（ＰＡ：power  amplifier）の効率は、ＵＥのバッテリ電力を節約する上で重要な要素である。それ故に、効率的なＰＡは、ある典型的な動作点又は構成、例えば、変調タイプ、アクティブなリファレンスブロックの数（Ｅ−ＵＴＲＡの場合）、物理チャネルの数／チャネライゼーションコード／拡散率（ＵＴＲＡの場合、これはＣＤＭＡ技術に基づく）について典型的に設計されるであろう。しかしながら、ＵＥは、変調、リソースブロック等の任意の組み合わせを用いて送信しなければならないことがあり得る。それ故に、一部のアップリンク（ＵＬ）送信シナリオにおいて、ＵＥの電力増幅器は、線形領域において動作することが可能ではないことがあり、それによって、高調波に起因するＯＯＢ帯域放射を引き起こす。許容される送信構成の全て（例えば、変調タイプ、リソースブロックの数等といった要素を含み得る）についてＵＥがＯＯＢ要件を満たすことを保証するために、ＵＥは、その最大ＵＬ送信電力がＵＥの最大電力に到達する一部のシナリオにおいて、当該最大ＵＬ送信電力を低減させることができる。これは、最大電力低減又はＵＥ電力バックオフと呼ばれる。例えば、２４ｄＢｍの電力クラスの名目的な最大出力／送信電力を有するＵＥは、ＵＬ送信構成に依存して、その最大電力を２４ｄＢｍから２３ｄＢｍ又は２２ｄＢｍに低減させ得る。
【００１３】
様々なＵＬ送信構成についての最大電力低減（ＭＰＲ：maximum  power  reduction）値は、一般に標準において充分に規定されている。ＵＥは、対応する構成についての条件が満たされる場合に、これらの値を用いてＭＰＲを適用する。これらのＭＰＲ値は、リソースブロック割り当て及び他の配備（deployment）の観点から独立しているという意味において静的であると見なされる。
【００１４】
付加的な最大電力低減（Ａ−ＭＰＲ：Additional  maximum  power  reduction）は、付加的なＯＯＢ要件を満たすために必要とされ得る。Ｅ−ＵＴＲＡにおいて、ＭＰＲのみによっては満たされることができない付加的なＯＯＢ放射要件を満たすために、通常のＭＰＲに加えて付加的なＭＰＲ（Ａ−ＭＰＲ）も規定されている。Ａ−ＭＰＲとＭＰＲとの相違点は、前者が完全には静的ではないという点である。代わりに、Ａ−ＭＰＲは、異なるセル間、動作周波数帯、及び異なるロケーションエリアに属するセル間で変化し得る。
【００１５】
Ａ−ＭＰＲは、地域の規制機関（ＦＣＣ、ＡＲＩＢ等）によって設定される要件などの付加的な要件を満足するための帯域幅、周波数帯、及びリソースブロック割り当てといった要素を考慮するために必要とされる（通常のＭＰＲに加えた）残りの電力低減全てを含む。ＴＳ  ３６．１０１における表６．２．４−１，“Additional  Maximum  Power  Reduction  (AMPR)”は、Ａ−ＭＰＲ要件がＥ−ＵＴＲＡのＵＥについてどのように現在定義されているかを図示する。
【発明の概要】
【発明が解決しようとする課題】
【００１６】
取り得る１つのアプローチは、シナリオに関わらずＵＥが満たすべき固定された、予め定義されるＳＡＲ値を規定することである。しかし、ＳＡＲ要件は、シナリオ、例えば、国家、地域、規制機関、標準等に依存し得る。固定されたＳＡＲ要件を満たすために、ＵＥは、その最大出力電力を低減しなければならないことがある。一部のシナリオにおいて、固定されたＳＡＲ値は、過度なＵＥ電力バックオフ又はＵＥ出力電力における要求されるよりも小さい低減という結果をもたらし得る。さらに、将来的なＳＡＲ要件は、変化し得る。即ち、将来的なＳＡＲ要件は、より厳しく又はあまり厳しくなくなり得る。従って、ＵＥが様々な及び変化するＳＡＲ要件に適応可能であることへのニーズが存在する。
【課題を解決するための手段】
【００１７】
本願における技術の１つの態様は、無線ユーザ機器（ＵＥ）についての動的なＳＡＲ放出制御に関連する。ＵＥは、無線通信ネットワークから比吸収率（ＳＡＲ）ターゲットに関連する１つ以上のパラメータを受信する。ＳＡＲは、ＵＥによって生成される無線送信の結果として生成される無線周波数（ＲＦ）電磁場（ＥＭＦ）放射に暴露される単位質量の組織によって吸収される最大エネルギー又は最大電力の指標である。ＵＥは、１つ以上のＳＡＲ関連パラメータに基づいて、ＳＡＲターゲットを満たすためにＵＥが取るべきアクションを判定し及び実行する。１つの例示的なアクションとして、ＵＥは、ＳＡＲターゲットを満たすためにＵＥの最大出力電力を低減する。
【００１８】
例示的な非限定的な実施形態において、ＳＡＲターゲットは、第１のシナリオに関連付けられる第１のＳＡＲターゲット、又は第２の異なるシナリオに関連付けられる第２のＳＡＲターゲットであってもよい。第１のシナリオは、第１のＳＡＲ要件を有する第１の地域であってもよく、第２のシナリオは、第２のＳＡＲ要件を有する第２の地域であってもよい。第１のＳＡＲ要件と第２のＳＡＲ要件とは同じであっても又は異なっていてもよい。１つ以上のＳＡＲ関連パラメータは、ＵＥがＵＥの最大送信電力をどれだけ低減するかを判定することを示し又は可能にするＵＥについての送信電力バックオフ情報を含んでもよい。第１のＳＡＲターゲットは、第１の送信バックオフ量に関連付けられてもよく、第２のＳＡＲターゲットは、第２の送信バックオフ量に関連付けられてもよい。非限定的な例示的な実装において、第１のＳＡＲターゲットは、第２のＳＡＲターゲットの変更されたバージョンであってもよく、第１の送信バックオフ量は、第２のＳＡＲターゲットの変更に適応するための必要とされる送信バックオフ以上である。
【００１９】
１つ以上のＳＡＲ関連パラメータは、例えば、必要とされるＳＡＲターゲットをＵＥが満たすべき期間に関連するタイミング情報及び／又はＳＡＲ値を含んでもよい。
【００２０】
１つの例示的な実装において、１つ以上のＳＡＲ関連パラメータの値は、既存のスプリアス発射要件のシグナリングパラメータなどの利用可能な既存のシグナリングパラメータを用いて受信されてもよい。
【００２１】
本技術は、ソースセルからターゲットセルへのハンドオーバ状況にも適用され得る。ＵＥは、ターゲットセルに関連付けられるターゲットセルＳＡＲターゲットに合わせて調整された（tailored）値を有するターゲットセルの１つ以上のＳＡＲ関連パラメータをハンドオーバメッセージにおいて受信する。ＵＥは、ターゲットセルＳＡＲターゲットを満たすために、当該ＵＥによって取られるべき別のアクションをターゲットセルの１つ以上のＳＡＲ関連パラメータに基づいて判定し及び実行する。
【００２２】
上記技術の別の態様は、ＵＥと通信する第１のネットワークノードに関連する。第１のネットワークノードは、ＳＡＲターゲットに関連する１つ以上のパラメータを判定し、ＳＡＲターゲットを満たすためにＵＥにおける送信器によって適用されるべき判定された１つ以上のＳＡＲ関連パラメータを含む、ＵＥへの送信のためのメッセージについての内容を生成する。１つの非限定的な例示的な実施形態において、第１のネットワークノードは、上記内容をＵＥにシグナリングしてもよい。別の非限定的な例示的な実施形態において、第１のネットワークノードは、上記内容を第２のネットワークノードにシグナリングしてもよい。
【００２３】
ハンドオーバ状況の場合、第１のネットワークノードは、ＵＥがターゲットハンドオーバセルにハンドオーバされる際に、ＵＥにおける送信器によって適用されるべきターゲットハンドオーバセルに関連付けられるターゲットセルの１つ以上のＳＡＲ関連パラメータを含む、ＵＥへの送信のためのメッセージについての内容を生成する。非限定的な例において、第１のネットワークノードは、ターゲットセルの１つ以上のＳＡＲ関連パラメータを第３のネットワークノードから受信してもよい。
【００２４】
上記技術の別の観点は、無線インタフェース上でネットワークと通信するように構成されるＵＥに関連する。ＵＥは、（１）ＳＡＲ関連入力を判定し、（２）当該ＳＡＲ関連入力に基づくＳＡＲターゲットに適合する送信電力を判定し、及び（３）判定された送信電力に基づいて、無線送信回路の動作をＳＡＲターゲットに適合するように制御するように構成される処理回路に結合される無線送信及び受信回路を備える。１つの非限定的な例において、処理回路は、ＵＥに関連付けられるロケーションを検出し及びＵＥの加入者に通信し、ＵＥの加入者からのＳＡＲ関連入力を検出し、並びに当該ＳＡＲ関連入力を用いてＳＡＲターゲットを判定するように構成される。別の非限定的な例において、処理回路は、ＵＥに関連付けられるロケーションを検出し及びＵＥの加入者に通信し、検出されたロケーションに関連付けられる所定のＳＡＲ関連入力を検出し、並びに当該所定のＳＡＲ関連入力を用いてＳＡＲターゲットを判定するように構成される。
【００２５】
上記技術の別の観点は、（１）比吸収率（ＳＡＲ）ターゲットに関連する１つ以上のパラメータを判定し、及び（２）ＳＡＲターゲットを満たすためにＵＥにおける送信器によって適用されるべき判定された１つ以上のＳＡＲ関連パラメータを含む、ＵＥへの送信のためのメッセージについての内容を生成するように構成される処理回路を備えるＵＥと通信するように構成される第１のネットワークノードに関連する。ここで、ＳＡＲは、ＵＥによって生成される無線送信の結果として生成される無線周波数（ＲＦ）電磁場（ＥＭＦ）放射に暴露される単位質量の組織によって吸収される最大エネルギー又は最大電力の指標である。第１のネットワークノードは、送信のために上記メッセージを提供するように構成されるインタフェース回路も備える。
【００２６】
第１のネットワークノードは、基地局、基地局コントローラ、コアネットワークノード、又は中継ノードのうちの１つであってもよい。
【００２７】
例示的なハンドオーバアプリケーションにおいて、インタフェース回路は、ターゲットセルの１つ以上のＳＡＲ関連パラメータを、ターゲットハンドオーバセルを制御する第２のネットワークノードにシグナリングするように構成される。第２のネットワークノードは、基地局、無線ネットワークコントローラ、基地局コントローラ、コアネットワークノード、中継ノード、測位ノード、自己管理ネットワーク（ＳＯＮ）ノード、又はオペレーション及びメンテナンスノードのうちの１つであってもよい。
【００２８】
あるいは、第１のネットワークノードは、第３のネットワークノードから、ターゲットセルの１つ以上のＳＡＲ関連パラメータを受信するように構成される。第３のネットワークノードは、基地局、無線ネットワークコントローラ、基地局コントローラ、コアネットワークノード、中継ノード、測位ノード、自己管理ネットワーク（ＳＯＮ）ノード、又はオペレーション及びメンテナンスノードのうちの１つであってもよい。
【図面の簡単な説明】
【００２９】
【図１】サービングノードのサービスの地理的領域又はセル内に位置するユーザ機器（ＵＥ）にサービスするサービングノードを有するセルラ通信システムを示す。
【図２】ネットワークから受信されるＳＡＲシグナリングに関する、ＵＥによって遂行される例示的な手続きを図示する非限定的なフローチャートである。
【図３】ＵＥの非限定的な例示的な機能ブロック図である。
【図４】ＳＡＲシグナリングに関して、第１のネットワークノードによって遂行される例示的な手続きを図示する非限定的なフローチャートである。
【図５】第１のネットワークノードの非限定的な例示的な機能ブロック図である。
【図６】ハンドオーバ状況についての種々の非限定的な例示的なＳＡＲシグナリング構成を示す図である。
【発明を実施するための形態】
【００３０】
以下の説明は、限定ではなく説明の目的のために特定の実施形態などの具体的な詳細を述べる。しかし、他の実施形態はこれらの具体的な詳細から離れて採用され得ることが当業者によって認識されるであろう。一部の例において、周知の方法、インタフェース、回路、及び装置の詳細な説明は、不必要な詳細で説明を不明瞭にしないように省略される。個別のブロックは、種々のノードに対応する図面において示される。当業者は、これらのブロックの機能が個別のハードウェア回路を用いて、適切にプログラムされたデジタルマイクロプロセッサ若しくは汎用コンピュータと共にソフトウェアプログラム及びデータを用いて、及び／又は特定用途向け集積回路（ＡＳＩＣ：applications  specific  integrated  circuitry）を用いて、及び／又は１つ以上のデジタル信号プロセッサ（ＤＳＰ：digital  signal  processors）を用いて実装され得ることを認識するであろう。エアインタフェースを用いて通信するノードも適切な通信回路を有する。ソフトウェアプログラム命令及びデータは、コンピュータ読取可能な記憶媒体に記憶されてもよく、当該命令がコンピュータ又は他の適切なプロセッサ制御によって実行される際、当該コンピュータ又はプロセッサは上記機能を実行する。
【００３１】
従って、例えば、本願における図面は例示的な回路又は他の機能ユニットの概念図を表し得ることが当業者によって認識されるであろう。同様に、任意のフローチャート、状態遷移図、疑似コードなどは種々の処理を表し、当該処理はコンピュータ読取可能な媒体において実質的に表され、コンピュータ又はプロセッサが明示的に示されていようとなかろうと、コンピュータ又はプロセッサによって実行され得ることが認識されるであろう。
【００３２】
図示される種々の要素の機能は、ハードウェア回路及び／又はコンピュータ読取可能な媒体に記憶されるコーディングされた命令の形式のソフトウェアを実行することが可能なハードウェアといったハードウェアの使用を通じて提供され得る。従って、そのような機能及び図示される機能ブロックは、ハードウェアにより実装され及び／又はコンピュータにより実装され、並びにマシンにより実装されるものとして理解されるべきである。
【００３３】
ハードウェア実装に関して、機能ブロックは、デジタル信号プロセッサ（ＤＳＰ）ハードウェア、縮小命令セットプロセッサ、特定用途向け集積回路（ＡＳＩＣ）及び／又はフィールドプログラマブルゲートアレイ（ＦＰＧＡ）を含むがこれらに限定されないハードウェア（例えば、デジタル又はアナログ）回路、並びに（適切な場合には）そのような機能を実行することが可能なステートマシンを含み又は包含し得るが、これらに限定されない。
【００３４】
コンピュータ実装に関して、コンピュータは、一般に、１つ以上のプロセッサ又は１つ以上のコントローラを備えると理解され、コンピュータ、プロセッサ、及びコントローラという用語は、互換的に用いられ得る。コンピュータ、プロセッサ、又はコントローラによって提供される場合、上記機能は、単一の専用コンピュータ若しくはプロセッサ若しくはコントローラ、単一の共有コンピュータ若しくはプロセッサ若しくはコントローラ、又はその一部が共有され又は分散され得る複数の個別のコンピュータ若しくはプロセッサ若しくはコントローラによって提供され得る。「プロセッサ」又は「コントローラ」という用語は、上述された例示的なハードウェアなどの、上記機能を実行し及び／又はソフトウェアを実行することが可能な他のハードウェアも指し得る。
【００３５】
本技術は、任意のセルラ通信システム及び／又はネットワークに適用され得る。本明細書において、無線ユーザ機器（ＵＥ）は、任意のタイプのモバイル無線ノード、例えば、移動局（ＭＳ：mobile  station）、端末、ラップトップ、ＰＤＡ、小型基地局、センサ、中継装置等であると理解される。ネットワークノードは、基地局ノード、中継ノード、基地局制御ノード、又はコアネットワークノードとすることができる。
【００３６】
本願における技術は、ＳＡＲ要件を満たすためにＵＥの送信器によって適用されるべき１つ以上のＳＡＲパラメータ（例えば、電力バックオフ、期間等）などの情報を第１のネットワークノードがＵＥにシグナリングすることを含む。比吸収率（ＳＡＲ）は、ＵＥによって送出されるＲＦ  ＥＭＦへのＲＦ暴露を測定するために用いられる量である。ＳＡＲは、所与の時間にわたり暴露される組織の単位質量によって吸収される最大エネルギーの指標、又はより単純に言えば単位質量あたりに吸収される電力である。非限定的な例示的なＳＡＲ限度は、（ＥＵ及び世界中の他の国家において用いられる）１０グラムの組織にわたり平均２Ｗ／ｋｇと、米国連邦通信委員会（ＦＣＣ）により採用されているＩＥＥＥ  １９９９  ＳＡＲ限度である１グラムの組織にわたり平均１．６Ｗ／ｋｇと、を含む。ＵＥは、ＳＡＲ要件に関連するＳＡＲ関連情報（例えば、１つ以上のＳＡＲパラメータ）を受信し、受信された情報に基づいて、ＳＡＲ要件を満たすために低減されるべきＵＥの出力電力の量（ΔＰ）を判定する。ＵＥは、その最大出力電力を判定された量（例えば、バックオフ電力）だけ低減する。第１のネットワークノードは、以下にさらに説明されるように１つ以上のＳＡＲパラメータのような情報を第２のネットワークノードにもシグナリングし得る。
【００３７】
第１のネットワークノードの非限定的な例は、コアネットワークノード、無線ネットワークコントローラ、基地局、又は固定され若しくはモバイルであり得る中継ノードを含む（但し、これらに限定されない）。ネットワークコントローラの非限定的な例は、ＨＳＰＡにおけるＲＮＣ、ＧＳＭにおけるＢＳＣ、又はＣＤＭＡ２０００（例えば、ＣＤＭＡ２００  １ｘＲＴＴ，ＨＲＰＤ）におけるＢＳＣ等である。ＢＳの非限定的な例は、ＬＴＥにおけるｅＮｏｄｅＢ、ＨＳＰＡにおけるノードＢ、ＧＳＭにおけるＢＴＳ、ＣＤＭＡ２０００におけるＢＳ等を含む。第１のネットワークノード及び第２のネットワークノードの非限定的な例は、測位ノード（例えば、ＬＴＥにおけるＥ−ＳＭＬＣ）、コアネットワークノード（例えば、ＬＴＥにおけるＭＭＥ）等といったサービングネットワークノード及び他のネットワークノードと同じであり得る。第３のネットワークノードの非限定的な例は、オペレーション及びメンテナンス（Ｏ＆Ｍ）、オペレーショナルサポートシステム（ＯＳＳ）、自己管理ネットワーク（ＳＯＮ：Self  Organizing  Network）、コアネットワークノード、ネットワークコントローラ、基地局コントローラ、基地局、中継装置、測位ノード等である。
【００３８】
図２は、ネットワークから受信されるＳＡＲシグナリングに関して、ＵＥによって遂行される例示的な手続きを図示する非限定的なフローチャートである。ＵＥは、無線通信ネットワークから比吸収率（ＳＡＲ）ターゲットに関する１つ以上のパラメータを受信する（ステップＳ１）。ＵＥは、ＳＡＲターゲットを満たすためにＵＥによって取られるべきアクションを１つ以上のＳＡＲ関連パラメータに基づいて判定し（ステップＳ２）、当該アクションを実行する（ステップＳ３）。
【００３９】
図３は、本願においてＵＥについて説明されるＳＡＲ関連機能を実装するためのＵＥ１２０の非限定的な例示的な機能ブロック図である。ＵＥ１２０は、１つ以上のアンテナなどの無線回路１２４と、１つ以上のフィルタ及び周波数ダウンコンバージョン回路を含む無線受信器と、１つ以上のフィルタ、周波数アップコンバージョン回路及び１つ以上の電力増幅器を含む無線送信器と、ベースバンド処理回路と、を備える。ＵＥ１２０は、メモリを有する１つ以上のデータプロセッサ１２２も備える。ＵＥ１２０は、ネットワークからＳＡＲターゲット情報を受信し、データプロセッサ１２２は、当該ＳＡＲターゲット情報をメモリに記憶する。データプロセッサ１２２は、ＳＡＲターゲット情報を用いて、例えば電力増幅器のゲインを制御することによって、ＵＥの無線送信器の送信電力を制御する。
【００４０】
図４は、ＳＡＲシグナリングに関して、第１のネットワークノードによって遂行される例示的な手続きを図示する非限定的なフローチャートである。第１のネットワークノードは、ＳＡＲターゲットに関連する１つ以上のパラメータを判定し（ステップＳ１０）、ＳＡＲターゲットを満たすためにＵＥにおける送信器によって適用されるべき判定された１つ以上のＳＡＲ関連パラメータを含む、ＵＥへの送信のためのメッセージについての内容を生成する（ステップＳ１２）。
【００４１】
図５は、本明細書において説明されるネットワーク動作を実装するために用いられ得るネットワークノード１００の非限定的な例示的な機能ブロック図である。データプロセッサ１０２は、ネットワークノード１００の全体的な動作を制御する。ネットワークノード１００は、無線ネットワークノード（ある種の基地局又はアクセスポイント）であってもよく、当該例示的な場合において、必要に応じてマルチＲＡＴのキャリアアグリゲーション無線回路を含む無線通信回路１０４を備える。代替的に又は付加的に、ネットワークノード１００は、コアネットワークノード又は他のタイプのネットワークノード（例は上述されている）であってもよく、当該ノードが無線通信しない場合には無線回路は必ずしも必要とされない。データプロセッサ１０２は、１つ以上のネットワーク通信インタフェース１０６及びメモリ１０８に接続する。メモリ１０８は、１つ以上のＵＥについて意図されるＳＡＲ関連情報を判定し及びシグナリングすることに関連する、本明細書において説明されるネットワークノード機能を実行するためのプログラム命令１１０を含む。ネットワークノードの構造は、以下の種々の例示的なシナリオにおいて説明される第１、第２、及び／又は第３のネットワークノードを実装するのに適する。
【００４２】
第１のサービングネットワークノードは、ＵＥによって満たされるべきＳＡＲ要件に関連する１つ以上のＳＡＲパラメータをＵＥにシグナリングする。サービングネットワークノードは、より下位の層（例えば、ＭＡＣ、Ｌ１／Ｌ２）のシグナリング又はより上位の層（例えば、ＲＲＣ）のシグナリングを介して１つ以上のＳＡＲパラメータをＵＥにシグナリングすることができる。１つ以上のＳＡＲパラメータは、ＵＥ固有のシグナリング上で各ＵＥにシグナリングされることができる。代替的に又は加えて、１つ以上のＳＡＲパラメータは、ブロードキャストチャネル、例えばＬＴＥにおけるＰＤＳＣＨ上で全てのＵＥ又はＵＥのグループに送られることができる。１つ以上のＳＡＲパラメータは、ＵＥのケイパビリティ、例えばＵＥがＣＤＭＡ２０００及びＬＴＥ上で高速サービス及びデータサービスを同時にサポートするか、に依存し得る。
【００４３】
非限定的な例示的な実施形態において、ネットワークによりシグナリングされる１つ以上のＳＡＲパラメータは、新たなパラメータのセットとして定義される。ただし、別の非限定的な例示的な実施形態において、何らかの他の目的のためにＵＥに既にシグナリングされた幾つかの既存のパラメータのうちの１つ以上は、１つ以上のＳＡＲ要件をシグナリングするためにも用いられ得る。付加的なスプリアス発射要件について用いられ得る、ネットワークによりシグナリングされる（ＮＳ＿ｘ）パラメータの一例は、３ＧＰＰ  ＴＳ  ３６．１０１、“Evolved  Universal  Terrestrial  Radio  Access  (E-UTRA)  and  Evolved  Universal  Terrestrial  Radio  Access  (E-UTRAN);  User  Equipment  (UE)  radio  transmission  and  reception”において定義され、参照によって本明細書に組み込まれる。
【００４４】
ＳＡＲパラメータは、様々な形で表現されることができる。１つの例において、ＳＡＲパラメータは、ＳＡＲ要件を満たすためにＵＥによって適用されるべき電力バックオフの量（例えば、３ｄＢ）の観点から表現されることができる。ＳＡＲパラメータは、必要とされる電力バックオフの予め定義される値に対応する識別子又はインデックスとすることもできる。
【００４５】
別の非限定的な例において、ＳＡＲパラメータは、ＵＥが満たし又は超過しないことが必要とされるＳＡＲの絶対値（例えば、１．５Ｗ／ｋｇ）の観点から表現されることができる。ＳＡＲパラメータは、ＳＡＲターゲットの必要とされる絶対値の予め定義される値に対応する識別子又はインデックスとすることもできる。ＵＥは、ＳＡＲパラメータ又はＳＡＲターゲットを、必要とされる送信電力バックオフ又は最大送信電力低減量に変換し得る。当該変換は、記憶される予め定義されるテーブルに基づいて為されることができ、又は何らかの他のＵＥの実装に基づくことができる。
【００４６】
また、ＵＥがＳＡＲ要件を満たすべき期間（Ｔ０）を示すＳＡＲパラメータも、サービングネットワークノードによってＵＥにシグナリングされることができる。この非限定的な例示的な実施形態は、ＳＡＲ要件が満たされるべき期間が異なり得る様々な地域において有益であり得る。シグナリングされる値は、絶対値（例えば、１０ｍｓ若しくは１０ＴＴＩ若しくは１０サブフレーム）、又は予め定義される測定期間のうちの１つの識別子若しくはインデックス（例えば、５ｍｓ及び１０ｍｓの測定期間にそれぞれ対応する０及び１）とすることができる。
【００４７】
ＵＥは、受信されるネットワークによりシグナリングされるＳＡＲパラメータを解釈して、必要とされる電力低減の量を判定し得る。ＳＡＲパラメータは、電力バックオフの絶対値を表し得る。例えば、シグナリングされる値が３ｄＢである場合、ＵＥはその最大出力電力を２３ｄＢｍから２０ｄＢｍに３ｄＢだけ低減させる。ＵＥは、帯域外放射要件を満たすためなどの理由に起因して、付加的な（即ち、ＳＡＲターゲット要件を超える）電力バックオフも適用し得る。
【００４８】
ＵＥが満たすことを必要とされるＳＡＲ（例えば、１．５Ｗ／ｋｇ）の絶対値をシグナリングされる値が表す場合、ＵＥは、必要とされる電力バックオフ又は最大電力低減量にＳＡＲ値をマッピングし得る。当該マッピングは、予め定義されるルックアップテーブルに基づくことができる。上記マッピングは、ＵＥの実装に依存し得る。最終的に、ＵＥは、ＳＡＲ要件を満たすために、マッピングされた値を適用することを必要とする。ＳＡＲ要件が満たされるべき測定期間もＵＥにシグナリングされる場合、（前述のように）電力低減は、シグナリングされる時間値にわたり満たされるべきである。あるいは、予め定義される期間が用いられ得る。
【００４９】
本技術の第３の態様は、ネットワークノード間でＳＡＲ要件を交換することに関連する。１つの例において、ＳＡＲ情報は、ＬＴＥにおける第１のｅＮｏｄｅＢと第２のｅＮｏｄｅＢとの間のＸ２インタフェース上などの、第１のネットワークノードと第２のネットワークノードとの間で交換される。第１のネットワークノードは、（第１のネットワークノードにおいて用いられる）ＳＡＲパラメータ値を第２のネットワークノードにシグナリングし得る。１つの例において、ＳＡＲパラメータ値の交換は、１つ以上の近隣のネットワークノードにおいて用いられるＳＡＲパラメータ値をサービングネットワークノードが知得することを可能にし得る。
【００５０】
別の例において、第１のネットワークノードは、サービングノードであってもよく、第２のネットワークノードは、ネットワークコントローラ、例えば、ＨＳＰＡにおけるＲＮＣ、コアネットワークノード、測位ノード（例えば、ＬＴＥにおけるＥ−ＳＭＬＣサーバ）等である。例えば、サービングノード（例えば、ｅＮｏｄｅＢ）は、ＬＴＥにおけるＬＰＰａインタフェース上でＥ−ＳＭＬＣにパラメータ値をシグナリングし得る。（例えば、ＬＴＥにおけるＸ２上での）ノード間のＳＡＲパラメータのシグナリングは、透過的なコンテナを用いて又は非透過的な手法において送られることができる。透過的なコンテナの場合、サービングノードは、ターゲットノードからの受信される値をＵＥに直接転送する。
【００５１】
ＳＡＲパラメータ値は、ハンドオーバ又はセル再選択に先立って必要とされることもある。図６は、ハンドオーバ状況についての種々の非限定的な例示的なＳＡＲシグナリング構成を示す図である。ネットワークノードＡ１００は、サービングセル中のサービング基地局ＢＳ１及びターゲットセル中のターゲット基地局ＢＳ２とＳＡＲ情報を通信する。サービング基地局ＢＳ１及びターゲット基地局ＢＳ２も、場合によって互いにＳＡＲ情報を通信するものとして示される。
【００５２】
サービング基地局ＢＳ１及びターゲット基地局ＢＳ２は、サービングセルからターゲットセルへ向かって移動するＵＥ１２０のハンドオーバをサポートするものとして示される。ハンドオーバのターゲットセルにおける使用の為の１つ以上のＳＡＲパラメータは、サービング基地局ＢＳ１によってハンドオーバコマンドを介して又は別のメッセージにおいてＵＥにシグナリングされることができる。このようにして、ターゲットハンドオーバセルに入るＵＥ１２０は、当該ターゲットセルについてのＳＡＲ要件を満たすために、正確な電力バックオフ値を適用することができる。
【００５３】
別の例示的な実施形態において、ネットワークによりシグナリングされるＳＡＲパラメータの値は、別のネットワークノードＢ１００からシグナリングされ得る。例えば、自己管理ネットワーク（ＳＯＮ）ノードは、１つ以上の基地局におけるＳＡＲパラメータの値を設定し得る。ＳＡＲパラメータの値は、地域、国家、地方等に依存してもよく、同じ地理的地域であっても時間の経過と共に変更されてもよい。
【００５４】
ここで説明される技術を用い得る技術／ＲＡＴの非限定的な例は、以下を含む：Ｅ−ＵＴＲＡ  ＦＤＤ、Ｅ−ＵＴＲＡ  ＴＤＤ、ＵＴＲＡ  ＴＤＤ、ＧＳＭ／ＧＥＲＡＮ／ＥＤＧＥ、３ＧＰＰ２  ＣＤＭＡ技術（例えば、ＣＤＭＡ２０００  １ｘＲＴＴ及びＨＲＰＤ）等。さらに、上記技術は、ＵＥが１つ以上のキャリアを同時に用いて受信し及び／又は送信するマルチキャリア又はキャリアアグリゲーション（ＣＡ）機能付きのＵＥにも適用し得る。ＣＡシステムは、任意の技術、例えばＨＳＰＡ又はＬＴＥに属し得る。ＣＡシステムは、マルチＲＡＴシステム、即ちＨＳＰＡキャリア及びＬＴＥキャリアを含むＣＡであってもよい。ＨＳＰＡにおいて、マルチキャリアシステムの例は、ＤＣ−ＨＳＤＰＡ、ＤＣ−ＨＳＵＰＡ、ＤＢ−ＤＣ−ＨＳＤＰＡ、４Ｃ−ＨＳＤＰＡ、８Ｃ−ＨＳＤＰＡ、ＭＣ−ＨＳＰＡ等を含む。
【００５５】
別の非限定的な実施形態において、ＳＡＲパラメータは、ＵＥがその地域又はロケーションを検出し及びＵＥの加入者に複数のＳＡＲ値、例えば、低ＳＡＲ値、中間のＳＡＲ値、及び高ＳＡＲ値から選択することを促すことに基づいてＵＥによって構成され得る。これらのオプションは、加入者によってＵＥにインストールされることができるアプリケーションプログラムを用いて表示され又は読み出されることができる。当該プログラムは、初期設定の期間中に、周期的に（例えば、１日又は１週間に１回）、いつでも適切な時に、又はＵＥが新たなロケーションエリア、国家若しくは地域に入る場合に、運用者によってバックグラウンドにおいてダウンロードされてもよい。１つのＳＡＲ値は、推奨され又は初期値として示されてもよい。安全の目的のため、推奨される値は、ＵＥがアクションを取る（例えば、その最大出力電力を低減させる）べき中間のＳＡＲ値又は高いＳＡＲ値とすることができる。ＵＥは、加入者によって選択されるＳＡＲ値を実装し、及び必要なアクションを取る。
【００５６】
別の非限定的な実施形態において、ＳＡＲパラメータは、ＵＥがその地域又はロケーションを検出し及び検出されたＵＥのロケーションにリンクされ又は関連付けられる１つ以上の所定のＳＡＲ値のうちの１つを選択することに基づいてＵＥによって構成され得る。所定のＳＡＲ値と当該ＳＡＲ値が用いられるべき関連付けられるロケーションとをリンクするマッピングテーブルは、配備の際にＵＥに記憶されることができる。マッピングテーブルは、初期設定時又はいつでも又はＵＥのロケーションエリアが変更される場合、例えばＵＥが新たなトラッキングエリア、新たな国家、州、又は地域に入る場合に、ネットワークによってＵＥにシグナリングされてもよい。ＵＥは、所定の又は構成されたマッピングテーブルに基づいて選択されるＳＡＲ値を実装し、及び必要なアクションを取る（即ち、その最大電力を低減する）。１つのＳＡＲ値は、推奨され又は初期値として示されてもよい。安全の目的のため、推奨される値は、ＵＥがアクションを取る（例えば、その最大出力電力を低減させる）べきであるような中間的な又は高いＳＡＲ値とすることができる。推奨される値又は初期値は、ＵＥがそのロケーションを正確に発見することができない場合に用いられることができる。例えば、アシスト型ＧＰＳ（Ａ−ＧＰＳ：Assisted-GPS）などの全地球的航法衛星システム（ＧＮＳＳ：global  navigational  satellite  system）を用いるＵＥは、建物の中に位置する場合にそのロケーションを認識しないことがある。
【００５７】
説明された技術には幾つかの利点がある。例えば、ネットワークの運用者は、ローカルな要件及び／又は異なるシナリオに応じて、異なる地域において異なるＳＡＲ要件を採用し及び執行することができる。別の利点は、ＳＡＲ要件が変更される場合にＵＥが過度なＵＥ送信電力低減を行うことを防止することができる点である。さらに別の利点は、ある地域におけるＳＡＲ要件の変化のためだけにＵＥの加入者が新たなＵＥを購入する必要がない点である。ＵＥの加入者は、世界の様々な地域における様々なＳＡＲ要件を気にせずに、如何なる地域においても自由にローミングもし得る。方法のうちの１つは、ＵＥの加入者がＳＡＲ値を選択することも可能にし、それによって、加入者が例えばＵＥの実際の使用又は使用目的に従ってＳＡＲ値を選択することを可能にする。例えば、ＵＥの使用目的が人体に近くない場合、より低いＳＡＲ値が選択されることができ、これは固定されたＳＡＲ値と比較してＵＥ電力のより小さな低減をもたらす。
【００５８】
種々の実施形態が示され及び詳細に説明されたが、特許請求の範囲は、如何なる特定の実施形態又は例にも限定されない。上記説明のいずれも、任意の特定の要素、ステップ、範囲、又は機能が不可欠であり、それらが特許請求の範囲に含まれなければならないことを暗示するものとして解されるべきではない。特許される主題の範囲は、特許請求の範囲によってのみ定義される。法的保護の範囲は、許可される請求項において記載される文言及びそれらの均等物によって定義される。当業者に既知である、上述された好適な実施形態の要素の全ての構造的及び機能的な均等物は、参照によって本明細書に明示的に組み込まれ、本願請求項によって包含されることが意図される。さらに、装置又は方法は、本技術によって解決しようとされる課題の全てに対処する必要はない。なぜなら、それは本願請求項によって包含されるべきであるからである。「ための手段（means  for）」又は「ためのステップ（step  for）」という文言が用いられない限り、いずれの請求項も米国特許法第１１２条の第６段落の適用を受けることを意図しない。さらに、本明細書中の如何なる実施形態、特徴、コンポーネント、又はステップも、当該実施形態、特徴、コンポーネント、又はステップが特許請求の範囲において記載されるかに関わらず、公衆に提供されることは意図されない。
【図１】
0005759555.tif 000002
【図２】
0005759555.tif 000003
【図３】
0005759555.tif 000004
【図４】
0005759555.tif 000005
【図５】
0005759555.tif 000006
【図６】
0005759555.tif 000007